Podtech/llm-jp-corpus-v4-ja_patent huggingface dataset:
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
表示パネル；
前記表示パネルの一側周縁部に取り付けられている光源；及び
前記表示パネルの下に配置する導光板を含む、表示装置。
【請求項２】
前記表示パネルは、
互いに対向する第１基板及び第２基板を含み、
前記光源は前記第１基板の下部面に取り付けられている、請求項１に記載の表示装置。
【請求項３】
前記光源は、前記導光板の一側面と対向するように配置されて、前記光源から出射した光が前記導光板の一側面に入射する、請求項２に記載の表示装置。
【請求項４】
前記光源を駆動するための信号を生成する光源駆動部を実装している印刷回路基板；及び、
前記印刷回路基板と前記表示パネルを連結する連結フィルムをさらに含む、請求項３に記載の表示装置。
【請求項５】
前記光源駆動部及び前記連結フィルムを連結する第１配線；及び、
前記連結フィルム及び前記光源を連結する第２配線をさらに含む、請求項４に記載の表示装置。
【請求項６】
前記連結フィルムは、前記印刷回路基板の上部面と前記第１基板の上部面にそれぞれ取り付けられており、
前記第１配線は、前記印刷回路基板の上部面に形成されており、
前記第２配線は、前記第１基板の上部面及び下部面を連結するように形成されている、請求項５に記載の表示装置。
【請求項７】
前記連結フィルムは、フレキシブル印刷回路基板（ＦＰＣ、Ｆｌｅｘｉｂｌｅ  Ｐｒｉｎｔｅｄ  Ｃｉｒｃｕｉｔ）またはチップオンフィルム（ＣＯＦ、Ｃｈｉｐ  Ｏｎ  Ｆｉｌｍ）からなる、請求項４に記載の表示装置。
【請求項８】
前記光源は、発光ダイオードチップまたは発光ダイオードパッケージからなる、請求項１に記載の表示装置。
【請求項９】
前記表示パネルは表示領域及び非表示領域を含み、
前記光源は前記非表示領域に形成されている、請求項１に記載の表示装置。
【請求項１０】
前記導光板と前記表示パネルの間に形成されている光学シート；及び
前記導光板の下に形成されている反射板をさらに含む、請求項１に記載の表示装置。
【手続補正２】
【補正対象書類名】明細書
【補正対象項目名】００３８
【補正方法】変更
【補正の内容】
【００３８】
連結フィルム３００は、印刷回路基板２００の上部面と第１基板１１０の上部面にそれぞれ取り付けられている。印刷回路基板２００の上には光源駆動部２１０と連結フィルム３００を連結する第１配線３１０が形成されている。第１配線３１０によって、光源駆動部２１０で生成された光源５００を駆動するための信号が連結フィルム３００に伝達される。第１配線３１０は複数に形成してもよい。
【手続補正３】
【補正対象書類名】明細書
【補正対象項目名】００３９
【補正方法】変更
【補正の内容】
【００３９】
図４及び図５を参照すれば、第１基板１１０の一側周縁部に、例えば、手前側周縁部の下部面に光源パッド部５１０が形成される。光源パッド部５１０は光源５００と第１基板１１０の間に形成され、光源５００の両側にそれぞれ光源パッド部５１０を一つずつ形成してもよい。
【手続補正４】
【補正対象書類名】明細書
【補正対象項目名】００４０
【補正方法】変更
【補正の内容】
【００４０】
第１基板１１０には光源５００と連結フィルム３００を連結する第２配線３２０が形成されている。第２配線３２０の一側端部は光源パッド部５１０と連結され、光源パッド部５１０が光源５００と連結されてもよい。第２配線３２０は、図５に示すように第１基板１１０の下側周縁の上部面（連結フィルム３００と対向する面）、下部面（上部面と反対の面）、及び側面（上部面と下部面との間の面）を取り囲むように形成されてもよい。連結フィルム３００は第１基板１１０の上部面に取り付けられており、光源５００は第１基板１１０の下部面に取り付けられているので、連結フィルム３００と光源５００を連結するために、第２配線３２０が第１基板１１０の上部面と下部面を連結するように形成される。
【手続補正５】
【補正対象書類名】明細書
【補正対象項目名】００４１
【補正方法】変更
【補正の内容】
【００４１】
上記で、第２配線３２０が第１基板１１０の手前側周縁部の上部面、下部面、及び側面を取り囲むように形成されることと説明したが、本発明はこれに限定されない。第２配線３２０は、第１基板１１０の手前側周縁部の上部面と下部面を連結することができれば、他の方式で連結されてもよく、例えば、第１基板１１０の周縁部を貫くホールが形成され、第２配線３２０がホール内に形成されて上部面と下部面を連結してもよい。
【手続補正６】
【補正対象書類名】明細書
【補正対象項目名】００４２
【補正方法】変更
【補正の内容】
【００４２】
図５を参照すれば、表示パネル１００の下には導光板６００が配置されている。導光板６００は光源５００から出射した光を表示パネル１００に均一に伝達するためのものであって、アクリル射出物からなってもよい。光源５００は、導光板６００の一側面と対向するように配置してもよい。例えば、導光板６００は上部面（表示パネル１００と対向する面）、下部面（上部面と反対の面）、及び上部面と下部面を連結する四つの側面を含む直六面体形状であってもよい。四つの側面は奥側面、手前側面、左側面、右側面で形成してもよい。この時、手前側面が表示パネル１００の手前側周縁に対応するように配置してもよい。光源５００が表示パネル１００の手前側周縁部に取り付けられて形成される場合、光源５００は導光板６００の手前側面と対向するように配置してもよい。つまり、光源５００の発光面が導光板６００の手前側面と対向するように配置されて、光源５００から出射した光が導光板６００の下側面に入射することができる。導光板６００の下側面に入射した光は、下側から上側に上がりながら光の経路が変更されて、表示パネル１００側に屈折して表示パネル１００の下部面（導光板６００と対向する面）に入射する。または、導光板６００の手前側面に入射した光が奥側面に反射して、手前側に戻りながら光の経路が変更されて、表示パネル１００側に屈折して表示パネル１００の下部面に入射することもできる。
【手続補正７】
【補正対象書類名】明細書
【補正対象項目名】００５７
【補正方法】変更
【補正の内容】
【００５７】
上記で、本発明の一実施形態による表示装置の光源５００は、表示パネル１００の手前側周縁部に形成されることと説明したが、本発明はこれに限定されない。光源５００は、表示パネル１００の奥側周縁部、左側周縁部、または右側周縁部に形成されてもよい。また、光源５００は、表示パネル１００の一側周縁部だけでなく、一側周縁と対向する他側周縁部にも共に形成されてもよい。つまり、光源５００が表示パネル１００の両側周縁部に形成されてもよい。また、光源５００は表示パネル１００の四つの周縁部に全て形成されてもよい。
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
焦電体膜と、
受光側電極と、
検出電極と、
金属薄板と、
支持部材を備え、
前記金属薄板上に前記検出電極、前記焦電体膜、前記受光側電極が順に積層され、
前記金属薄板端部の少なくとも一部は前記支持部材により固定され、
前記受光側電極、前記焦電体膜、及び前記検出電極が積層された領域の少なくとも一部に入射した赤外線を、
前記受光側電極と前記検出電極に誘起された電荷により検出することを特徴とする焦電型赤外線センサ。
【請求項２】
前記金属薄板は、厚さ３μｍ以上、３０μｍ以下のステンレスであることを特徴とする請求項１記載の焦電型赤外線センサ。
【請求項３】
前記焦電体膜は、厚さが５μｍ以上、３０μｍ以下であることを特徴とする請求項１または請求項２のいずれかに記載の焦電型赤外線センサ。
【請求項４】
さらに絶縁膜を備え、
前記金属薄板と前記検出電極の間に前記絶縁膜を設けたことを特徴とする請求項１から請求項３のいずれかに記載の焦電型赤外線センサ。
【請求項５】
前記焦電体膜は、少なくとも第１の焦電体膜と第２の焦電体膜を備え、
前記金属薄板における、前記第１の焦電体膜と前記第２の焦電体膜の間、並びに前記第１の焦電体膜及び前記第２の焦電体膜外周の一部にスリットが設けられていることを特徴とする請求項１から請求項４のいずれかに記載の焦電型赤外線センサ。
【請求項６】
前記金属薄板の、前記赤外線が入射する側に対する裏面に少なくとも前記焦電体膜が設けられていることを特徴とする請求項１から請求項５のいずれかに記載の焦電型赤外線センサ。
【手続補正２】
【補正対象書類名】明細書
【補正対象項目名】０００９
【補正方法】変更
【補正の内容】
【０００９】
本発明は、焦電体膜と、受光側電極と、検出電極と、金属薄板と、支持部材を備え、金属薄板上に検出電極、焦電体膜、受光側電極が順に積層され、金属薄板端部の少なくとも一部は支持部材により固定され、受光側電極、焦電体膜、及び検出電極が積層された領域の少なくとも一部に入射した赤外線を、受光側電極と検出電極に誘起された電荷により検出する焦電型赤外線センサにより上記課題を解決する。
【手続補正書】
【提出日】平成28年6月22日(2016.6.22)
【手続補正１】
【補正対象書類名】明細書
【補正対象項目名】発明の名称
【補正方法】変更
【補正の内容】
【発明の名称】着色剤組成物、カラーフィルター基板及び液晶表示装置
【手続補正２】
【補正対象書類名】明細書
【補正対象項目名】００１１
【補正方法】変更
【補正の内容】
【００１１】
すなわち、本発明は、以下の（１）〜（９）に記載した着色剤組成物、カラーフィルター基板及び液晶表示装置を提供する。
（１）  樹脂、溶剤、光重合性化合物、光重合開始剤、着色剤及びチオキサントン系化合物を含有し、上記光重合開始剤としてオキシムエステル系化合物を含有し、上記光重合性化合物に対する上記光重合開始剤の割合は、１０〜３０重量％であり、上記光重合開始剤とチオキサントン化合物との重量比率は、４０：６０〜１５：８５である、着色剤組成物。
（２）  上記チオキサントン系化合物は、チオキサントン系光重合開始剤である、上記（１）に記載の着色組成物。
（３）  上記着色剤組成物が含有する固形分に対する上記着色剤の割合は、４０〜６０重量％である、上記（１）又は（２）に記載の着色組成物。
（４）  上記着色剤は、ピグメントグリーン７、ピグメントグリーン３６及びピグメントグリーン５８からなる群から選ばれる緑色の着色剤を含有する、上記（１）〜（３）のいずれかに記載の着色剤組成物。
（５）  上記着色剤は、ピグメントレッド２５４及びピグメントレッド１７７からなる群から選ばれる赤色の着色剤を含有する、上記（１）〜（３）のいずれかに記載の着色剤組成物。
（６）  上記着色剤は、ピグメントイエロー１２９、ピグメントイエロー１３８及びピグメントイエロー１５０からなる群から選ばれる黄色の着色剤を含有する、上記（１）〜（５）のいずれかに記載の着色剤組成物。
（７）  上記（１）〜（６）のいずれかに記載の着色剤組成物を用いて形成された画素を具備してなる、カラーフィルター基板。
（８）  上記（７）に記載のカラーフィルター基板を具備してなる、液晶表示装置。
（９）  上記（１）〜（６）のいずれかに記載の着色剤組成物を、透明基板上に塗布する工程、マスクを介して露光する工程、現像液により現像する工程、形成された画素を熱処理する工程を順次行うことを特徴とするカラーフィルター基板の製造方法。
【手続補正３】
【補正対象書類名】特許請求の範囲
【補正対象項目名】全文
【補正方法】変更
【補正の内容】
【特許請求の範囲】
【請求項１】
樹脂、溶剤、光重合性化合物、光重合開始剤、着色剤及びチオキサントン系化合物を含有し、前記光重合開始剤としてオキシムエステル系化合物を含有し、前記光重合性化合物に対する前記光重合開始剤の割合は、１０〜３０重量％であり、前記光重合開始剤とチオキサントン化合物との重量比率は、４０：６０〜１５：８５である、着色剤組成物。
【請求項２】
前記チオキサントン系化合物は、チオキサントン系光重合開始剤である、請求項１記載の着色組成物。
【請求項３】
前記着色剤組成物が含有する固形分に対する前記着色剤の割合は、４０〜６０重量％である、請求項２記載の着色組成物。
【請求項４】
前記着色剤は、ピグメントグリーン７、ピグメントグリーン３６及びピグメントグリーン５８からなる群から選ばれる緑色の着色剤を含有する、請求項１〜３のいずれか一項記載の着色剤組成物。
【請求項５】
前記着色剤は、ピグメントレッド２５４及びピグメントレッド１７７からなる群から選ばれる赤色の着色剤を含有する、請求項１〜３のいずれか一項記載の着色剤組成物。
【請求項６】
前記着色剤は、ピグメントイエロー１２９、ピグメントイエロー１３８及びピグメントイエロー１５０からなる群から選ばれる黄色の着色剤を含有する、請求項１〜５のいずれか一項記載の着色剤組成物。
【請求項７】
請求項１〜６のいずれか一項記載の着色剤組成物を用いて形成された画素を具備してなる、カラーフィルター基板。
【請求項８】
請求項７記載のカラーフィルター基板を具備してなる、液晶表示装置。
【請求項９】
請求項１〜６のいずれか一項記載の着色剤組成物を、透明基板上に塗布する工程、マスクを介して露光する工程、現像液により現像する工程、形成された画素を熱処理する工程を順次行うことを特徴とするカラーフィルター基板の製造方法。
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
トランジスタおよび前記トランジスタと電気的に接続された液晶素子を含む複数の画素と、
前記複数の画素に少なくともビデオ信号とリセット信号を入力する機能を有する駆動回路と、を有し、
前記駆動回路は、
前記ビデオ信号の極性を、ｍフレーム（ｍは２以上の自然数）ごとに反転させて前記画素に入力する機能を有し、
前記ビデオ信号の非入力期間に前記リセット信号を前記画素に入力する機能を有する液晶表示装置。
【請求項２】
請求項１において、
前記リセット信号の電位は、
第１期間においてコモン電位より高く、第２期間において前記コモン電位より低い液晶表示装置。
【請求項３】
請求項２において、
前記リセット信号の電位は、
前記第１期間と、前記第２期間との後に、前記コモン電位と概略等電位になる液晶表示装置。
【請求項４】
請求項１において、
前記リセット信号の電位は、
コモン電位より高い期間と、コモン電位より低い期間と、を少なくとも一回以上繰り返した後に、コモン電位と概略等電位になる液晶表示装置。
【請求項５】
請求項１乃至４のいずれか一において、
さらに、前記複数の画素に光を照射するバックライトを有し、
前記駆動回路は、前記バックライトが非点灯状態のとき、前記リセット信号を前記画素に入力する機能を有する液晶表示装置。
【請求項６】
請求項１乃至５のいずれか一において、
前記トランジスタが酸化物半導体を含む液晶表示装置。
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
遊技球が転動する転動領域と、
遊技状態の移行抽選を行う移行抽選手段と、
遊技球が検知されることを条件に、前記移行抽選手段による移行抽選を行うための始動情報を出力する始動情報出力手段と、
前記移行抽選手段による移行抽選の結果に基づいて識別情報を可変表示する可変表示手段と、
前記識別情報の可変表示時間を決定する可変表示時間決定手段と、
遊技球の入賞が不可能な閉鎖状態と遊技球の入賞が可能な開放状態との間で変化させられる第１の可変入賞手段及び前記第１の可変入賞手段の前記転動領域の下流側に配置された第２の可変入賞手段と、
前記移行抽選手段における移行抽選の結果が特別の抽選結果であるときに、前記第１及び第２可変入賞手段を所定の態様で開放状態と閉鎖状態との間で変化させる特別遊技状態に遊技状態を移行させて制御する遊技状態制御手段と、
前記特別遊技状態終了後、遊技者にとって有利な特殊遊技状態を所定遊技回数実行する特殊遊技状態制御手段と、
前記第１の可変入賞手段及び前記第２の可変入賞手段のそれぞれへの遊技球を検出する第１の入賞検出手段及び第２の入賞検出手段と、
を備えた遊技機であって、
前記遊技状態制御手段は、
前記特別遊技状態に遊技状態を移行した際、前記第１の可変入賞手段及び前記第２の可変入賞手段を、所定の時間を空けて交互に開放状態とし、
前記第１の可変入賞手段が所定の閉鎖条件を満たすまで開放状態とされている間に、開放状態から閉鎖状態とされた前記第２の可変入賞手段において開放状態中に入賞したものの前記第２の入賞検出手段により検出されていない未検出の遊技球を当該第２の入賞検出手段に検出させ、
前記第２の可変入賞手段が所定の閉鎖条件を満たすまで開放状態とされている間に、開放状態から閉鎖状態とされた前記第１の可変入賞手段において開放状態中に入賞したものの前記第１の入賞検出手段により検出されていない未検出の遊技球を当該第１の入賞検出手段に検出させ、
前記所定の時間は、前記第１の可変入賞手段が閉鎖したときに前記第１の可変入賞手段の上部に存在する遊技球がその後開放される前記第２の可変入賞手段に入賞可能となる時間に設定され、
前記可変表示時間決定手段により決定される前記可変表示時間は、前記特殊遊技状態の実行回数に応じて異なる可変表示時間決定データに基づいて決定可能とされていることを特徴とする遊技機。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
歯科インプラントの配置のポジショニングのためのアライナーへの取り付けのための放射線不透過インジケータ装置であって、
前記インジケータ装置は、
インジケータ本体と、
インジケータを前記アライナーに取り付けるためのアタッチメント機構と
を備える、インジケータ装置。
【請求項２】
前記アタッチメント機構は、
自己接着型接着剤と、硬化型接着剤と、スナッピング機構と、面ファスナー機構と、吸引機構と、クリップオン機構とを含む機構の群から選択される、請求項１のインジケータ装置。
【請求項３】
前記インジケータは、前記インプラントを配置するのに望ましい位置を臨床医に対して特定するために組織の領域に印をつけるマーキング装置を含む、請求項１のインジケータ装置。
【請求項４】
前記インジケータは、前記インプラントを配置するのに望ましい位置を臨床医が特定するための組織領域の特定を容易にする機能を含む、請求項１のインジケータ装置。
【請求項５】
前記アタッチメント機構は、前記インジケータのポジショニングの調節ができるように取り外し可能である、請求項１のインジケータ装置。
【請求項６】
前記インジケータは、前記インプラントの配置のために調節済みの位置を確認するために前記ポジショニングの調節後に前記インジケータを前記調節済みの位置にロックするロッキング機構を含む、請求項５のインジケータ装置。
【請求項７】
前記インジケータの長さ寸法は、調節可能である、請求項１のインジケータ装置。
【請求項８】
前記インジケータは、前記インプラントの配置のために前記インジケータを固定するために前記長さ寸法をロックするためのロッキング機構を含む、請求項７のインジケータ装置。
【請求項９】
前記インジケータの少なくとも一部分は、伸縮自在である、請求項１のインジケータ装置。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
組織のＮＩＲ画像およびフルカラー画像を獲得するための画像化システムであって、
前記組織を照射するために可視光およびＮＩＲ光を提供する光源を含み、前記可視光は青色光、緑色光、及び赤色光を含み、前記青色光は青色反射光として前記組織から反射され、前記緑色光は緑色反射光として前記組織から反射され、及び前記赤色光は赤色反射光として前記組織から反射され、
１つまたは複数の画像センサを有するカメラと、
前記光源および前記カメラと信号で通信するコントローラと、を含み、前記コントローラは、
前記青色光が連続的に前記組織を照射し、前記赤色光と前記ＮＩＲ光が所定のタイミング方式に従って前記組織を照射するように前記光源を制御し、前記所定のタイミング方式は、前記赤色光とＮＩＲ光のうち少なくとも１つを周期的にオンとオフに切り替えることを含み、
青色照射光に対応する第１の画像信号と、緑色照射光に対応する第２の画像信号と、赤色照射光とＮＩＲ照射光に対応する第３の画像信号と、を同時に取得し、及び
前記タイミング方式に基づいて、前記第３の画像信号から前記赤色反射光と検出されたＮＩＲ光を決定し、
前記画像化システムは、前記組織のフルカラー反射画像とＮＩＲ画像を生成するように構成されている、画像化システム。
【請求項２】
前記所定のタイミング方式は、前記赤色光および前記ＮＩＲ光を交番することを含むことを特徴とする請求項１に記載の画像化システム。
【請求項３】
前記赤色光を用いた照射の持続期間は、前記ＮＩＲ光を用いた照射の持続期間よりも長いことを特徴とする請求項２に記載の画像化システム。
【請求項４】
前記コントローラは、前記緑色光が前記組織を連続的に照射するように前記光源を制御することを特徴とする請求項１に記載の画像化システム。
【請求項５】
前記カメラは、単一のセンサを含むことを特徴とする請求項１に記載の画像化システム。
【請求項６】
前記単一のセンサは、３色ＲＧＢセンサを含むことを特徴とする請求項５に記載の画像化システム。
【請求項７】
前記光源は、１つもしくは複数の固体源を含むことを特徴とする請求項１に記載の画像化システム。
【請求項８】
前記青色光、前記緑色光、及び前記赤色光は、それぞれ青色ＬＥＤ、緑色ＬＥＤ、及び赤色ＬＥＤにより生み出されることを特徴とする請求項１に記載の画像化システム。
【請求項９】
前記１つまたは複数の画像センサは、画素を有する単一の画像センサであって、それぞれの画素が、前記組織から戻された前記青色反射光、前記緑色反射光、および赤色反射光とＮＩＲ光のうちの１つに対応する、単一の画像センサを備えることを特徴とする請求項１に記載の画像化システム。
【請求項１０】
前記単一の画像センサが、前記センサ画素の前に配置されたモザイクのフィルタアレイを備えることを特徴とする請求項９に記載の画像化システム。
【請求項１１】
前記画像化システムが内視鏡として構成されることを特徴とする請求項１に記載の画像化システム。
【請求項１２】
前記カメラに検出されたＮＩＲ光が蛍光であることを特徴とする請求項１に記載の画像化システム。
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
前面側を遊技球が流下可能な遊技盤と、前記遊技盤に設けられ、遊技球が入球可能な可変入球ユニットとを備えた遊技機において、
前記可変入球ユニットは、遊技領域を内部領域として画成するカバーを備え、
前記カバーは、前記内部領域に向いた側に、前記遊技球の流通を案内する流通案内部材を備え、
前記流通案内部材は、前記内部領域に流入された遊技球の流路を前記遊技盤の盤面に沿って分岐させるための分岐部を備え、当該分岐部によって、前記遊技球が入賞口に連通可能な第１流路と前記入賞口に連通しない第２流路とに、前記内部領域に流入された遊技球が分岐されるように構成されてなる
ことを特徴とする遊技機。
【手続補正２】
【補正対象書類名】明細書
【補正対象項目名】０００３
【補正方法】変更
【補正の内容】
【０００３】
しかしながら、従来の遊技機と同様の構成では、遊技に対する興趣を低下させてしまう虞があった。
【手続補正３】
【補正対象書類名】明細書
【補正対象項目名】０００４
【補正方法】変更
【補正の内容】
【０００４】
そこで、本発明は上記の実情に鑑み、遊技に対する興趣が低下するのを抑制することが可能な遊技機の提供を課題とするものである。
【手続補正４】
【補正対象書類名】明細書
【補正対象項目名】０００５
【補正方法】変更
【補正の内容】
【０００５】
本発明は、
前面側を遊技球が流下可能な遊技盤と、前記遊技盤に設けられ、遊技球が入球可能な可変入球ユニットとを備えた遊技機において、
前記可変入球ユニットは、遊技領域を内部領域として画成するカバーを備え、
前記カバーは、前記内部領域に向いた側に、前記遊技球の流通を案内する流通案内部材を備え、
前記流通案内部材は、前記内部領域に流入された遊技球の流路を前記遊技盤の盤面に沿って分岐させるための分岐部を備え、当該分岐部によって、前記遊技球が入賞口に連通可能な第１流路と前記入賞口に連通しない第２流路とに、前記内部領域に流入された遊技球が分岐されるように構成されてなる
ことを特徴とする。
また、本発明とは別の発明の手段を以下に示す。
手段１：遊技機において、
「遊技者の操作によって遊技媒体が打込まれる遊技領域と、
該遊技領域の前端を区画する透明板状の前面区画部材と、
該前面区画部材の後側に配置され、前記遊技領域の面に対して直角方向外周を区画する枠状の前構成部材と、
該前構成部材の後側に配置されると共に前記遊技領域の後端を区画する板状の遊技パネルと、
該遊技パネルの所定位置に配置され、遊技状態に応じて前記前面区画部材よりも前側の特定領域に所定の画像を投影する少なくとも一つの投影装置と
を具備する」ものであることを特徴とする。
【手続補正５】
【補正対象書類名】明細書
【補正対象項目名】００９９
【補正方法】変更
【補正の内容】
【００９９】
このように、本発明によれば、遊技に対する興趣が低下するのを抑制することが可能な遊技機を提供することができる。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技の進行に関する制御を行う制御用マイクロコンピュータと、
複数回の可変表示において予告演出を実行する予告演出実行手段とを備え、
第１リセットを発生させるか第２リセットを発生させるかが設定され、
前記第１リセットの発生後にはセキュリティチェックを実行する一方、前記第２リセットの発生後にはセキュリティチェックを実行せず、
前記制御用マイクロコンピュータは、
ウオッチドッグタイマと、
前記ウオッチドッグタイマを起動させるか否かをユーザプログラムにより設定可能とする起動設定手段とを含み、
前記予告演出実行手段は、
複数回の可変表示において、第１予告演出を実行するパターンと、当該第１予告演出よりも前記有利状態に制御される割合が高い第２予告演出を実行するパターンと、前記第１予告演出を実行した後に前記第２予告演出を実行するパターンとのいずれかのパターンにより前記予告演出を実行可能であり、
前記第１予告演出の演出態様に応じて、前記第１予告演出を実行した後に前記第２予告演出を実行するパターンにより前記予告演出が実行される割合が異なる
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
【特許文献１】特開２００４−１４７７０４号公報
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、第１予告演出が開始された場合でも、第２予告演出に移行することへの期待感を抱かせ、遊技に対する興趣を向上させることができる遊技機を提供することを目的とする。
【手続補正７】
【補正対象書類名】明細書
【補正対象項目名】００１０
【補正方法】変更
【補正の内容】
【００１０】
（手段１）本発明による遊技機は、可変表示を行い、遊技者にとって有利な有利状態に制御可能な遊技機であって、遊技の進行に関する制御を行う制御用マイクロコンピュータ（例えば、遊技制御用マイクロコンピュータ５６０）と、複数回の可変表示において予告演出を実行する予告演出実行手段とを備え、第１リセット（例えば、システムリセット）を発生させるか第２リセット（例えば、ユーザリセット）を発生させるかが設定され、第１リセットの発生後にはセキュリティチェックを実行する一方、第２リセットの発生後にはセキュリティチェックを実行せず（例えば、遊技制御用マイクロコンピュータ５６０は、図４６（Ａ）に示すように、ステップＳ１００４の後にはステップＳ１００６でセキュリティチェックを実行し、図４６（Ｂ）に示すように、ステップＳ１０１４の後にはセキュリティチェックを実行しない）、制御用マイクロコンピュータは、ウオッチドッグタイマ（例えば、ウオッチドッグタイマ（ＷＤＴ）５０６ｂ）と、ウオッチドッグタイマを起動させるか否かをユーザプログラムにより設定可能とする起動設定手段（例えば、プログラム管理エリアの図１２に示すリセット設定（ＫＲＥＳ））とを含み、予告演出実行手段は、複数回の可変表示において、第１予告演出を実行するパターンと、当該第１予告演出よりも有利状態に制御される割合が高い第２予告演出を実行するパターンと、第１予告演出を実行した後に第２予告演出を実行するパターンとのいずれかのパターンにより予告演出を実行可能であり、第１予告演出の演出態様に応じて、第１予告演出を実行した後に第２予告演出を実行するパターンにより予告演出が実行される割合が異なることを特徴とする。そのような構成により、第１予告演出が開始された場合でも、第２予告演出に移行することへの期待感を抱かせ、遊技に対する興趣を向上させることができる。
【手続補正８】
【補正対象書類名】明細書
【補正対象項目名】００１１
【補正方法】変更
【補正の内容】
【００１１】
（手段２）手段１において、設定手段は、ウオッチドッグタイマを起動させるか否かを設定可能とし（例えば、遊技制御用マイクロコンピュータ５６０は、プログラム管理エリアの図１２に示すリセット設定（ＫＲＥＳ）のビット３−０の設定値が”００００”であることに従ってステップＳ１００１，Ｓ１０１１を実行することによって、ウオッチドッグタイマ（ＷＤＴ）５０６ｂを使用禁止に設定可能である）、ウオッチドッグタイマを起動させないと設定された場合であっても、所定事象が発生したことにもとづいて第１リセットを発生させるか第２リセットを発生させるかが設定可能とされる（例えば、遊技制御用マイクロコンピュータ５６０におけるプログラム管理エリアの図１２に示すリセット設定（ＫＲＥＳ）のビット３−０が”００００”に設定されている場合であっても、ビット７の設定値に従ってステップＳ１００１，Ｓ１０１１を実行することによって、リセットの種類を設定可能である）ように構成されていてもよい。そのような構成によれば、ウオッチドッグタイマの設定にかかわらず、所定事象が発生したことにもとづいて発生させるリセットの種類の設定を共通化することができる。
【手続補正９】
【補正対象書類名】明細書
【補正対象項目名】００１３
【補正方法】変更
【補正の内容】
【００１３】
（手段４）手段１から手段３のうちのいずれかにおいて、設定手段は、第１リセットを発生させると設定したときに、所定事象が発生して第１リセットを発生させた後、所定事象が発生したことにもとづいて第１リセットを発生させるか第２リセットを発生させるかが再度設定される（例えば、遊技制御用マイクロコンピュータ５６０は、図４６（Ａ）に示すように、システムリセットが発生したときに、ステップＳ１００５を実行して、遊技制御用マイクロコンピュータ５６０の各種設定をハードウェア的に再度実行することにより、システムリセットとするかユーザリセットとするかを再度設定する）ように構成されていてもよい。そのような構成によれば、異常な状態から正常な状態に確実に復旧させることができる。
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
始動条件の成立に基づき抽選を行い、該抽選の結果に基づいて遊技者に有利な特定遊技状態に制御しうる遊技機において、
遊技者により操作可能な操作手段と、
遊技に関する演出を制御する演出制御手段と、を備え、
前記演出制御手段は、
前記特定遊技状態に制御されることを遊技者に通知していない秘匿状態にて、前記操作手段に対する特定操作期間を発生させる特定操作期間発生手段と、
前記特定操作期間にて前記操作手段に対する操作を受けることに基づいて、前記特定遊技状態に制御される可能性が高いことを示す特定演出の実行有無を抽選する特定演出抽選手段と、
前記特定演出抽選手段による抽選に当選することに基づいて、前記特定演出を実行する特定演出実行手段と、を有し、
前記特定操作期間は、前記秘匿状態にて複数回発生しうるものであり、
前記秘匿状態にて複数回発生しうる前記特定操作期間のうち前記操作手段に対する操作を受けた前記特定操作期間がいずれであるかによって、前記特定演出抽選手段による抽選に当選する割合を変化させる割合設定手段をさらに有する、
ことを特徴とする遊技機。
【手続補正２】
【補正対象書類名】明細書
【補正対象項目名】０００６
【補正方法】変更
【補正の内容】
【０００６】
しかしながら、従来と同様の構成では、徐々に演出への期待感が薄れ、ひいては演出への感心自体が低下してしまう。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明は、以上のような従来技術の課題に基づいてなされたものであり、その目的は、遊技への興趣心を向上させることのできる遊技機を提供することにある。
【手続補正６】
【補正対象書類名】明細書
【補正対象項目名】００１０
【補正方法】変更
【補正の内容】
【００１０】
上記課題を解決するため、本発明は以下のような構成を有する。
始動条件の成立に基づき抽選を行い、該抽選の結果に基づいて遊技者に有利な特定遊技状態に制御しうる遊技機において、
遊技者により操作可能な操作手段と、
遊技に関する演出を制御する演出制御手段と、を備え、
前記演出制御手段は、
前記特定遊技状態に制御されることを遊技者に通知していない秘匿状態にて、前記操作手段に対する特定操作期間を発生させる特定操作期間発生手段と、
前記特定操作期間にて前記操作手段に対する操作を受けることに基づいて、前記特定遊技状態に制御される可能性が高いことを示す特定演出の実行有無を抽選する特定演出抽選手段と、
前記特定演出抽選手段による抽選に当選することに基づいて、前記特定演出を実行する特定演出実行手段と、を有し、
前記特定操作期間は、前記秘匿状態にて複数回発生しうるものであり、
前記秘匿状態にて複数回発生しうる前記特定操作期間のうち前記操作手段に対する操作を受けた前記特定操作期間がいずれであるかによって、前記特定演出抽選手段による抽選に当選する割合を変化させる割合設定手段をさらに有する、
ことを特徴とする遊技機。
【手続補正７】
【補正対象書類名】明細書
【補正対象項目名】００１１
【補正方法】変更
【補正の内容】
【００１１】
以上のような本発明によれば、遊技への興趣心を向上させることのできる遊技機を提供することができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
識別情報の表示態様がリーチ態様になった後にリーチ演出を実行するリーチ演出実行手段と、
遊技によって得られる価値を遊技者に付与する価値付与手段と、
動画像を表示する表示手段と、
前記表示手段に動画像を表示させるための制御を行う動画像制御手段とを備え、
前記リーチ演出は、最終停止識別情報として導出表示される識別情報の候補の画像と所定演出を示唆する所定演出示唆画像とが可変表示手段に表示される特別リーチ演出を含み、
前記特別リーチ演出が実行された後、最終停止識別情報が導出表示される前に前記所定演出を実行する所定演出実行手段をさらに備え、
前記価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で価値を付与する、
ことを特徴とする遊技機。
【手続補正２】
【補正対象書類名】明細書
【補正対象項目名】０００７
【補正方法】変更
【補正の内容】
【０００７】
（１）上記目的を達成するため、本願発明に係る遊技機は、識別情報（例えば第１特図や第２特図など）の可変表示を行い、遊技者にとって有利な有利状態（例えば大当り遊技状態など）に制御可能な遊技機（例えばパチンコ遊技機１など）であって、識別情報の表示態様がリーチ態様になった後にリーチ演出を実行するリーチ演出実行手段（例えばステップＳ８３１〜Ｓ８３３，Ｓ８４１〜Ｓ８４３の処理を実行する演出制御用ＣＰＵ１０１など）と、遊技によって得られる価値を遊技者に付与する価値付与手段（例えばステップＳ７３，Ｓ１７１Ａの処理を実行するＣＰＵ５６など）と、動画像を表示する表示手段（例えば演出表示装置９など）と、前記表示手段に動画像を表示させるための制御を行う動画像制御手段（例えば演出制御用ＣＰＵ１０１、ＶＤＰ１０９など）とを備え、前記リーチ演出は、最終停止識別情報として導出表示される識別情報の候補の画像（例えば、左右の停止図柄と同じ図柄と、左右の停止図柄よりも数字が１つ多い図柄：図４０（Ｃ）参照）と所定演出を示唆する所定演出示唆画像（例えばキャラクタ図柄９９ｂ，９９ｃ：図４０（Ｃ）参照）とが可変表示手段に表示される特別リーチ演出を含み（例えば図４０（Ｃ）に示す演出）、前記特別リーチ演出が実行された後、最終停止識別情報が導出表示される前に前記所定演出を実行する所定演出実行手段（例えばステップＳ８２５の処理の結果にもとづいてステップＳ８３１〜Ｓ８３３，Ｓ８４１〜Ｓ８４３の処理を実行する演出制御用ＣＰＵ１０１など）をさらに備え、前記価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で価値を付与する（例えば図４４，図４５参照）。
このような構成によれば、遊技興趣を向上させることができる。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、
前記不正防止部材は、前記通過口の開口縁のうち、前記発射位置から発射された遊技媒体の進行方向側の部位に前記隙間が位置するように、前記収容部に収容される
ことを特徴とする遊技機。
【請求項２】
前記通過口は、遊技媒体が通過可能な第１開口と、該第１開口よりも小さく線材が進入可能な第２開口とが連続して形成されたものである、
ことを特徴とする請求項１に記載の遊技機。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技の進行に関する制御を行う制御用マイクロコンピュータと、
複数回の可変表示において予告演出を実行する予告演出実行手段とを備え、
前記制御用マイクロコンピュータは、
ウオッチドッグタイマと、
前記ウオッチドッグタイマを起動させるか否かをユーザプログラムにより設定可能とする起動設定手段とを含み、
前記予告演出実行手段は、
複数回の可変表示において、第１予告演出を実行するパターンと、当該第１予告演出よりも前記有利状態に制御される割合が高い第２予告演出を実行するパターンと、前記第１予告演出を実行した後に前記第２予告演出を実行するパターンとのいずれかのパターンにより前記予告演出を実行可能であり、
前記第１予告演出の演出態様に応じて、前記第１予告演出を実行した後に前記第２予告演出を実行するパターンにより前記予告演出が実行される割合が異なる
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
【特許文献１】特開２００４−１４７７０４号公報
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、第１予告演出が開始された場合でも、第２予告演出に移行することへの期待感を抱かせ、遊技に対する興趣を向上させることができる遊技機を提供することを目的とする。
【手続補正７】
【補正対象書類名】明細書
【補正対象項目名】００１０
【補正方法】変更
【補正の内容】
【００１０】
（手段１）本発明による遊技機は、可変表示を行い、遊技者にとって有利な有利状態に制御可能な遊技機であって、遊技の進行に関する制御を行う制御用マイクロコンピュータ（例えば、遊技制御用マイクロコンピュータ５６０）と、複数回の可変表示において予告演出を実行する予告演出実行手段とを備え、制御用マイクロコンピュータは、ウオッチドッグタイマと、ウオッチドッグタイマを起動させるか否かをユーザプログラムにより設定可能とする起動設定手段とを含み、予告演出実行手段は、複数回の可変表示において、第１予告演出を実行するパターンと、当該第１予告演出よりも有利状態に制御される割合が高い第２予告演出を実行するパターンと、第１予告演出を実行した後に第２予告演出を実行するパターンとのいずれかのパターンにより予告演出を実行可能であり、第１予告演出の演出態様に応じて、第１予告演出を実行した後に第２予告演出を実行するパターンにより予告演出が実行される割合が異なることを特徴とする。そのような構成により、第１予告演出が開始された場合でも、第２予告演出に移行することへの期待感を抱かせ、遊技に対する興趣を向上させることができる。
【手続補正８】
【補正対象書類名】明細書
【補正対象項目名】００１１
【補正方法】変更
【補正の内容】
【００１１】
（手段２）手段１において、遊技制御用マイクロコンピュータは、ウオッチドッグタイマ（例えば、ウオッチドッグタイマ（ＷＤＴ）５０６ｂ）を含み、所定事象の発生には、ウオッチドッグタイマのタイムアウトが含まれ（例えば、ウオッチドッグタイマ（ＷＤＴ）５０６ｂからのタイムアウト信号の入力）、設定手段は、ウオッチドッグタイマを起動させるか否かを設定可能とし（例えば、遊技制御用マイクロコンピュータ５６０は、プログラム管理エリアの図１２に示すリセット設定（ＫＲＥＳ）のビット３−０の設定値が”００００”であることに従ってステップＳ１００１，Ｓ１０１１を実行することによって、ウオッチドッグタイマ（ＷＤＴ）５０６ｂを使用禁止に設定可能である）、ウオッチドッグタイマを起動させないと設定された場合であっても、所定事象が発生したことにもとづいて第１リセットを発生させるか第２リセットを発生させるかが設定可能とされる（例えば、遊技制御用マイクロコンピュータ５６０におけるプログラム管理エリアの図１２に示すリセット設定（ＫＲＥＳ）のビット３−０が”００００”に設定されている場合であっても、ビット７の設定値に従ってステップＳ１００１，Ｓ１０１１を実行することによって、リセットの種類を設定可能である）ように構成されていてもよい。そのような構成によれば、ウオッチドッグタイマの設定にかかわらず、所定事象が発生したことにもとづいて発生させるリセットの種類の設定を共通化することができる。
【手続補正９】
【補正対象書類名】明細書
【補正対象項目名】００１３
【補正方法】変更
【補正の内容】
【００１３】
（手段４）手段１から手段３のうちのいずれかにおいて、設定手段は、第１リセットを発生させると設定したときに、所定事象が発生して第１リセットを発生させた後、所定事象が発生したことにもとづいて第１リセットを発生させるか第２リセットを発生させるかが再度設定される（例えば、遊技制御用マイクロコンピュータ５６０は、図４６（Ａ）に示すように、システムリセットが発生したときに、ステップＳ１００５を実行して、遊技制御用マイクロコンピュータ５６０の各種設定をハードウェア的に再度実行することにより、システムリセットとするかユーザリセットとするかを再度設定する）ように構成されていてもよい。そのような構成によれば、異常な状態から正常な状態に確実に復旧させることができる。
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
糖調節異常を有する患者を治療するためのシステムであって、
埋め込み型パルス発生器に動作可能に接続する少なくとも２つの電極であって、該電極のうちの１つは迷走神経の前枝に配置されるように適合されており、該電極のうちの１つは腹腔枝上またはその近くの迷走神経の後枝に配置されるように適合されている、少なくとも２つの電極と、
パワーモジュールとプログラム可能な治療送達モジュールとを含む埋め込み型パルス発生器であって、該プログラム可能な治療送達モジュールは、複数日にわたって該迷走神経の前枝に適用される電気信号治療を含む第１の治療プログラムを該迷走神経の前枝に送達するように構成され、該電気信号は、該迷走神経の活性を下方制御するように選択された少なくとも２００Ｈｚの周波数と、オン時間およびオフ時間とを有し、該オフ時間は、該迷走神経の前枝の活性の少なくとも部分的回復を可能とするように選択され、そして、該プログラム可能な治療送達モジュールは、複数日にわたって該迷走神経の後枝に適用される電気信号治療を含む第２の治療プログラムを該迷走神経の後枝に送達するように構成され、該電気信号は、該迷走神経の後枝の活性を上方制御するように選択された周波数と、オン時間およびオフ時間とを有する、埋め込み型パルス発生器と、
アンテナとプログラム可能な格納および通信モジュールを含む外部コンポーネントであって、該プログラム可能な格納および通信モジュールは、少なくとも１つの治療プログラムを格納し、該少なくとも１つの治療プログラムを該埋め込み型パルス発生器に通信するように構成されている、外部コンポーネントと
を含むシステム。
【請求項２】
前記プログラム可能な治療送達モジュールが、少なくとも２００〜５０００Ｈｚの周波数を有する電気信号を前記迷走神経の前枝に送達するように構成されている、請求項１に記載のシステム。
【請求項３】
前記プログラム可能な治療送達モジュールが、３０秒以上のオン時間を有する電気信号を前記迷走神経の前枝に送達するように構成されている、請求項２に記載のシステム。
【請求項４】
前記プログラム可能な治療送達モジュールが、約５から３０分のオフ時間を有する電気信号を前記迷走神経の前枝に送達するように構成されている、請求項１〜３のいずれか１項に記載のシステム。
【請求項５】
前記プログラム可能な治療送達モジュールが、２００Ｈｚ未満の周波数を有する電気信号を前記迷走神経の後枝に送達するように構成されている、請求項１〜４のいずれか１項に記載のシステム。
【請求項６】
前記プログラム可能な治療送達モジュールが、３０秒以上のオン時間を有する電気信号を前記迷走神経の後枝に送達するように構成されている、請求項１〜５のいずれか１項に記載のシステム。
【請求項７】
迷走神経の前枝に配置されるように適合されている前記電極が、迷走神経の肝臓枝上またはその近くに配置されるように適合されている、請求項１〜６のいずれか１項に記載のシステム。
【請求項８】
前記第１の治療プログラム、前記第２の治療プラグラム、またはその両方の前記電気信号が、ある期間にわたって、断続的または連続的に適用される、請求項１〜７のいずれか１項に記載のシステム。
【請求項９】
前記第１および第２の治療プログラムが、同時にまたは異なる時間に送達される、請求項１〜８のいずれか１項に記載のシステム。
【請求項１０】
前記プログラム可能な格納および通信モジュールが、前記第１の治療プログラムを格納し、前記埋め込み型パルス発生器に通信するように構成されている、請求項１〜９のいずれか１項に記載のシステム。
【請求項１１】
前記プログラム可能な格納および通信モジュールが、前記第２の治療プログラムを格納し、前記埋め込み型パルス発生器に通信するように構成されている、請求項１〜９のいずれか１項に記載のシステム。
【請求項１２】
前記埋め込み型パルス発生器に動作可能に接続するセンサーをさらに含む、請求項１〜１１のいずれか１項に記載のシステム。
【請求項１３】
前記センサーは、血糖の閾値レベルからの増加または減少を検出する、請求項１２に記載のシステム。
【請求項１４】
前記プログラム可能な治療送達モジュールは、前記センサーからの信号に応答して、前記第１の治療プログラム、前記第２の治療プログラムまたはその両方を送達するように構成されている、請求項１２に記載のシステム。
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
人または哺乳類である患者の関節を、潤滑流体を追加する、及び、循環することによって潤滑にする植込み型注油装置であって、前記注油装置は、
潤滑流体を貯蔵するように適合された植込み型補充可能な貯蔵部と、
前記植込み型補充可能な貯蔵部を前記潤滑流体で補充するために前記植込み型補充可能な貯蔵部に接続する植込み型補充注入ポートと、
前記植込み型補充可能な貯蔵部と流体接続する植込み型注入針、
を含み、
前記植込み型注入針は長手方向に置き換えのために配置され、流体伝達出射ポートを有するチップ端部を有し、
植込み型駆動ユニットは前記植込型注入針に連結され、そして前記ジョイントの領域に前記潤滑流体を注入するため前記植込型注入針の前記チップ端部を前進および格納するよう構成される、
ことを特徴とする植込み型注油装置。
【請求項２】
前記植込み型注入針はその遠位末端で閉じ、そして横方向の流体伝達出射ポートを有することを特徴とする請求項１に記載の植込み型注油装置。
【請求項３】
前記植込み型注入針は線維性組織を貫通するよう構成されることを特徴とする請求項１に記載の植込み型注油装置。
【請求項４】
前記植込み型補充可能な貯蔵部は調整可能な量を有することを特徴とする請求項１に記載の植込み型注油装置。
【請求項５】
前記植込み型補充注入ポートは自己密封式の膜を含むことを特徴とする請求項１に記載の植込み型注油装置。
【請求項６】
前記植込み型貯蔵部から前記植込み型注入針に前記潤滑流体を送るための植込み型ポンプを更に含むことを特徴とする請求項１に記載の植込み型注油装置。
【請求項７】
前記植込み型ポンプは駆動されるモーターであることを特徴とする請求項６に記載の植込み型注油装置。。
【請求項８】
前記植込み型ポンプは、前記潤滑流体の量を前記植込み型注入針に断続的に送るよう構成される自動制御モーターを含むことを特徴とする請求項６に記載の植込み型注油装置。
【請求項９】
前記植込み型ポンプは可動壁を含むことを特徴とする請求項６に記載の植込み型注油装置。
【請求項１０】
前記植込み型注油装置の構成要素は、単体構造物に包含されることを特徴とする請求項１に記載の植込み型注油装置。
【請求項１１】
前記植込み型補充可能な貯蔵部は柔軟な壁部を含むことを特徴とする請求項４に記載の植込み型注油装置。
【請求項１２】
植込み型スイッチを含む植込み型注油装置を手動および非侵襲的に制御するためのシステムを含むことを特徴とする請求項１に記載の植込み型注油装置。
【請求項１３】
ワイヤレス遠隔制御装置を含む植込み型注油装置を手動および非侵襲的に制御するためのシステムを含むことを特徴とする請求項１に記載の植込み型注油装置。
【請求項１４】
手動で押されるよう構成される油圧貯蔵部を含む植込み型注油装置を手動および非侵襲的に制御するためのシステムを含むことを特徴とする請求項１に記載の植込み型注油装置。
【請求項１５】
前記植込み型注油装置の植込み型エネルギー消費構成要素を駆動する内部のエネルギー源を含むことを特徴とする請求項１に記載の植込み型注油装置。
【請求項１６】
内部のエネルギー源を含み、前記植込み型注油装置は、患者の体の外側からエネルギー伝達装置によって非侵襲的にそして無線で通電されるよう適合されることを特徴とする請求項１に記載の植込み型注油装置。
【請求項１７】
前記患者の少なくとも１つの物理的なパラメータを測定するための少なくとも１つのセンサを含むことを特徴とする請求項１に記載の植込み型注油装置。
【請求項１８】
前記植込み型注油装置に関連する少なくとも１つの機能的なパラメータを測定する少なくとも１つのセンサを含むことを特徴とする請求項１に記載の植込み型注油装置。
【請求項１９】
前記少なくも１つの機能的なパラメータは、内部ネエルギー源を充電するための転送に関連づくことを特徴とする請求項１に記載の植込み型注油装置。
【請求項２０】
患者の体の内部から患者の体の外側の少なくとも１つの外部制御ユニットにフィードバック情報を送るフィードバック装置を含むことを特徴とする請求項１に記載の植込み型注油装置。